(57)【要約】【課題】作業空間を制限することなく作業者の所望の位置に工具類を保管及び管理可能であり、設置及び移動される際、作業者の労力を軽減可能なツールスタンドの提供を課題とするものである。【解決手段】ツールスタンド１は、複数の取付孔７が穿設された樹脂製のパネル２を樹脂製の連結具によって連結し、枠体５によって複数のパネル２からなるボード４を固定して構成される。さらに、ツールを引掛け等するためにパネル２の取付孔７に着脱自在に取付けられる樹脂製のフックを有する。これにより製造する製品によって保管及び管理する工具類が変わる際、フックの配置を容易に変更可能である共に、設置場所の広さに応じて任意の枚数のパネル２を連結させ、作業空間を制限することなく工場内で設置や移動を行うことができる。【選択図】図１
2007111842.tif 000002
【特許請求の範囲】
【請求項１】
複数の取付孔が穿設され、外周縁部の少なくともいずれか一部を切欠いて形成された切欠部を有する樹脂製のパネルと、
ツールを引掛け若しくは吊下げ支持するための断面略Ｌ字形状をなすツール支持部、及び前記ツール支持部から延設され、前記パネルの前記取付孔に挿通可能な挿通部を有し、前記パネルに着脱自在に取付けられる樹脂製のフックと、
前記パネルの前記切欠部の切欠形状に略一致し、互いに離間する方向に突設された一対の切欠突部を有し、並設された一対の前記パネルの位置を固定して連結する樹脂製の連結具と、
前記連結具によって連結された複数の前記パネルの非連結外周縁部と嵌合可能な嵌込溝部を有し、複数の前記パネルを連結して固定する枠体と
を具備することを特徴とするツールスタンド。
【請求項２】
前記パネルのパネル厚に略一致し、前記非連結外周縁部に嵌合される凹部及び前記枠体の前記嵌込溝部と略一致する外形部を有し、前記非連結外周縁部及び前記嵌込溝部に介設される断面略コの字形状を呈する樹脂製のパネル固定具をさらに具備することを特徴とする請求項１に記載のツールスタンド。
【請求項３】
前記フックは、
前記ツール支持部及び前記挿通部の間に設けられ、前記挿通部の前記取付孔への挿通を所定範囲に規制する規制部をさらに有し、
前記挿通部は、
前記規制部からの突出方向に対し、下り勾配をなすテーパ面が形成された先端鉤状を呈する係止爪を有し、前記規制部から互いに離間して突設された一対の突起部と、
一対の前記突起部の前記係止爪を互いに近接させる近接位置から、前記係止爪を離間させる離間位置に弾性変形によって付勢する弾性付勢手段と
をさらに具備することを特徴とする請求項１又は請求項２に記載のツールスタンド。
【請求項４】
前記パネルのパネル面に着脱自在に貼付され、前記フックによって前記ツールを引掛け若しくは吊下げ支持する前記ツールを図画若しくは写真によって表示可能なツール表示シールをさらに具備することを特徴とする請求項１乃至請求項３のいずれか一つに記載のツールスタンド。
【発明の詳細な説明】
【技術分野】
【０００１】
本発明はツールスタンドに関するものであり、特にツールを保管及び管理するツールスタンドに関するものである。
【背景技術】
【０００２】
工場や作業場等に設置され、ドライバーやペンチ，ハンマー等の工具類（ツール）の保管や管理するものとして工具掛け装置（ツールスタンド）が知られている。この工具掛け装置は、例えば、複数の円形又は角形の係止孔が穿設された金属製のボードと、工具類が掛止される掛止棒を有し係止孔に係着される取付金具と、ボードが嵌め込まれる枠体とを備えて構成されるものがある。ここで、取付金具は、背面にフック状に形成された係止爪が設けられており、係止爪が係止孔に挿入され、係止孔の開口縁部に係着されることによって、ボードに係着される。さらに、取付金具にはビス孔が形成され、ビスによって螺着されることで、より強固にボードに固定されるものもある。したがって、作業者は、工場等内に設置された工具掛け装置に、取付金具をボードに適宜取付け、大小各種の工具類を作業手順や使用頻度に応じて保管場所を決定し、工具類を掛止したり、取り出したりすることが可能であった（例えば特許文献１参照）。
【０００３】
【特許文献１】実用新案登録３０７０５０５号公報
【発明の開示】
【発明が解決しようとする課題】
【０００４】
しかしながら、前述した工具掛け装置は、多数の工具類を必要とする複雑な作業を行う際、工具掛け装置の工具類を掛止する場所が不足し、複数台の工具掛け装置を並べて設置しなくてはならない場合があった。このため、工場内の作業領域を狭くしてしまうことがあった。これに対し、簡易な作業を行う際、作業に必要となる工具類は比較的少なくてもよいため、工具掛け装置の工具類を掛止するスペースに空きが生じ、工具を掛止するために使用されていないスペースは無駄になる場合があった。したがって、設置のために余分な空間を取ってしまい、工場内の空間の有効利用における障害となることがあった。
【０００５】
また、枠体と枠体に嵌めこまれたボードとの間に隙間が生じ、ガタつきが起こることがあった。さらに、重量の重い工具類が取付金具に取付けられた際、ボードに撓みが生じる可能性があった。このため、取付金具が安定して工具類を掛止することが困難となることがあり、ボードに取付金具が安定して取付けられずに工具類を落下させ、破損や紛失が起こる虞があった。また、取付金具がボードにビス等によって係着されている際、取付金具をボードから取り外すには手間がかかるため、取付金具のボードに対する取付位置の変更を行う際の負担となり、工具類の管理や整理整頓を円滑に行うために支障をきたすことがあった。
【０００６】
さらに、枠体やボードが一般的に金属で形成され、多くの工具類が掛止されることにより比較的重量が嵩むため、工具掛け装置の設置場所を移動する際、容易に移動及び設置することができず、作業者の負担となっていた。また、作業者が一度使った工具類をどの取付金具に戻したら良いのか不明確なため、作業者が所定の工具類の取付位置を間違える可能性があり、所定位置に工具類が片付けられない虞があった。このため、作業者が所望の工具類を取り出すための負担となり、作業効率の向上を妨げる一因となっていた。
【０００７】
そこで、本発明は、上記の実情に鑑み、工具類が掛止されるフックが係着された複数のパネルを任意に連結させ、作業空間を制限することなく作業者の所望の位置に工具類を保管及び管理可能であり、樹脂製の構成を採用させ、設置及び移動される際、作業者の労力を軽減可能なツールスタンドの提供を課題とするものである。
【課題を解決するための手段】
【０００８】
本発明にかかるツールスタンドは、「複数の取付孔が穿設され、外周縁部の少なくともいずれか一部が切欠いて形成された切欠部を有する樹脂製のパネルと、ツールを引掛け若しくは吊下げ支持するための断面略Ｌ字形状をなすツール支持部、及び前記ツール支持部から延設され、前記パネルの前記取付孔に挿通可能な挿通部を有し、前記パネルに着脱自在に取付けられる樹脂製のフックと、前記パネルの前記切欠部の切欠形状に略一致し、互いに離間する方向に突設された一対の切欠突部を有し、並設された一対の前記パネルの位置を固定して連結する樹脂製の連結具と、前記連結具によって連結された複数の前記パネルの非連結外周縁部と嵌合可能な嵌込溝部を有し、複数の前記パネルを連結された状態で固定する枠体」を具備するものである。
【０００９】
ここで、ツールとは、ドライバーやペンチ，ハンマー等の工具類を例示することができる。また、パネルの外周縁部に切欠いて形成された切欠部とは、樹脂製の連結具の切欠突部と略一致する切欠形状を有し、例えば、切欠断面形状が凹状に形成されているものを示すことができる。この場合、連結具の切欠突部は、該凹状の切欠部に一致する凸状に形成されている必要がある。その結果、連結具を介して連結されたパネル同士の外周縁部に沿った方向への移動が規制される。さらに、連結具は、上述した切欠突部に係る構成とともに、該切欠突部を互いに挟み込むようにした一対の平板状の挟片板部を有している。これにより、連結具を介して連結されたそれぞれのパネルは、前述した外周縁部に沿った方向への規制とともに、パネル面方向への移動も併せて規制することが可能である。加えて、枠体は連結具を介して連結された複数のパネルの周りを囲むようにして形成され、略方形状の開口部を有している。なお、枠体に使用される素材は、特に限定されないが、例えば、軽量化を図る目的でアルミ合金製の素材を用いることが可能である。また、係るアルミ合金製の素材からなる枠体は、種々の用途に利用するために前述した嵌込溝部を有するものが市販されていることがあり、入手容易性及び軽量性の点からも特に好適と思われる。
【００１０】
したがって、本発明のツールスタンドによれば、複数のパネルが連結具によって連結され、一つの大きなパネルを形成することが可能となり、ツールの数や種類に合わせてパネルの枚数を任意に変更することが可能となる。そのため、製造する製品によって保管及び管理するツールが変わる際、設置場所の広さに応じて、任意の枚数のパネルを連結させてパネルを設置し、作業空間を制限することなく工場内等に設置や移動することが可能である。また、樹脂製のパネル及び連結具を採用し、軽量化が図られているため、ツールスタンドを設置や移動する際、作業者の労力を軽減することが可能となる。
【００１１】
さらに、本発明のツールスタンドは、上記構成に加え、「前記パネルのパネル厚に略一致し、前記非連結外周縁部に嵌合される凹部及び前記枠体の前記嵌込溝部と略一致する外形部を有し、前記非連結外周縁部及び前記嵌込溝部に介設される断面略コの字形状を呈する樹脂製のパネル固定具」を具備するものであってもよい。
【００１２】
ここで、樹脂製のパネルに取付孔を穿設しようとする場合、当然の事ながら、パネルの厚さが薄い程、穿孔作業に伴う困難さが減少し、加工効率が良くなる。しかしながら、前述したように、市販されている枠体に設けられた嵌込溝部は、予め規定されたサイズであり、種々の用途に対応可能なように比較的広幅に設けられていることが多い。そのため、係る枠体の嵌込溝部に、厚さの薄いパネルを嵌込んでも、パネルと嵌込溝部との間に間隙が形成され、ガタつきが生じる。これにより、連結された複数のパネルが枠体に確実に保持されないこととなる。
【００１３】
したがって、本発明のツールスタンドによれば、略コの字形状を呈する樹脂製のパネル固定具（所謂「ブッシュ」）を、枠体の嵌込溝部及びパネルの非連結外周縁部の間に介設させることにより、上述した間隙をなくし、パネルと枠体との嵌合に係るガタつきを軽減することが可能となる。なお、このパネル固定具は、前述した連結具と同様に、パネルの切欠部の切欠形状と略一致する突起部を備え、枠体の長手方向に対するパネルの摺動を抑えるようにした構成であっても構わない。
【００１４】
さらに、本発明にかかるツールスタンドは、上記構成に加え、「前記フックは、前記ツール支持部及び前記挿通部の間に設けられ、前記挿通部の前記取付孔への挿通を所定範囲に規制する規制部をさらに有し、前記挿通部は、前記規制部からの突出方向に対し、下り勾配をなすテーパ面が形成された先端鉤状を呈する係止爪を有し、前記規制部から互いに離間して突設された一対の突起部と、一対の前記突起部の前記係止爪を互いに近接させる近接位置から、前記係止爪を離間させる離間位置に弾性変形によって付勢する弾性付勢手段」を具備するものであってもよい。
【００１５】
したがって、本発明のツールスタンドによれば、フックの突起部に形成された係止爪のテーパ面が取付孔の開口縁部に当接しながら押圧挿通され、テーパ面に懸かる略垂直方向への圧力によって、突起部の係止爪が離間位置から近接位置に変位するように弾性変形する。そして、係止爪が取付孔を通過すると、突起部が弾性復帰して係止爪が近接位置から離間位置に変位し、係止爪が取付孔の開口部に係合される。このとき、規制部がパネル面と当接され、フックの取付孔への挿通を規制すると共に、フックの揺動を規制する。これにより、フックがパネルに取付けられ、各種のツールを引掛け若しくは吊下げ支持することが可能となる。また、フックが取付孔に係着された状態から、取付孔のパネル裏面側から延出している突起部に対して、弾性力に抗する押圧操作によって互いの係止爪を近接位置まで変形し、取付孔の開口縁部と係止爪との係合を解除し、挿通部を取付孔からツール支持部側に押し出すことで、フックを取付孔から取り外すことが可能となる。つまり、突起部の弾性変形によって、フックの着脱を容易に行うことができるので、フックの取付位置の変更を素早く行い、作業者の所望の位置でツールを保管及び管理することが可能となる。
【００１６】
さらに、本発明にかかるツールスタンドは、上記構成に加え、「前記パネルのパネル面に着脱自在に貼付され、前記フックによって前記ツールを引掛け若しくは吊下げ支持する前記ツールを図画若しくは写真によって表示可能なツール表示シール」を具備するものであってもよい。
【００１７】
よって、本発明のツールスタンドによれば、所定のフックの近傍にツールを図画若しくは写真によって表示可能なツール表示シールが着脱自在に貼付されており、作業者が所望のツールをどのフックに引掛け若しくは吊下げ支持したらよいか容易に視認でき、作業者がツールの出し入れを素早く行うことが可能である。したがって、作業者がツールの出し入れを行う時間を軽減することができ、作業効率を向上させることが可能となる。
【発明の効果】
【００１８】
本発明の効果としては、工具類が掛止されるフックが係着された任意のパネルを連結することによって、製造する製品によって保管及び管理する工具類が変わる際、設置場所の広さに応じて、任意の枚数のパネルを連結させてパネルを設置し、作業空間を制限することなく、作業者の所望の位置に工具類を保管及び管理可能であり、樹脂製の構成を採用することによって、設置及び移動される際、作業者の労力を軽減可能である。
【発明を実施するための最良の形態】
【００１９】
以下、本発明の一実施形態であるツールスタンド１について図１乃至図５に基づいて説明する。ここで、図１は本実施形態のツールスタンド１の構成を示す斜視図であり、図２はパネル２の構成を示す斜視図であり、図３は（ａ）パネル止め３、及び（ｂ）パネル押さえ１７の構成を示す説明図であり、図４は（ａ）ブッシュ５０の構成、及びブッシュ５０の使用例を示す説明図であり、図５は、フック６のパネル２への取付けの一例を示す（ａ）上方から見た断面図、（ｂ）側方から見た断面図である。なお、本実施形態のツールスタンド１は、工場等に移動可能に設置され、製品を製造する際に使用するドライバー、ペンチ、ハンマー、及びスパナ等のツールＴ（工具類）をパネル２に取付けられたフック６に引掛け若しくは吊下げ支持することによって収納し、該ツールＴを管理するためのものについて例示している。
【００２０】
本実施形態のツールスタンド１は、図１乃至図５に示すように、正方形状を呈するパネル２が縦四列及び横三列に並列され、各パネル２同士をパネル止め３によって連結して形成したボード４と、該ボード４の外周縁部（非連結外周縁部に相当）に嵌合され、ボード４の周囲を固定して支持する枠体５と、ボード４のパネル２に穿設された複数の取付孔７に挿脱可能に取付けられる樹脂製のフック６とから主に構成されている。ここでパネル止め３が本発明の連結具に相当する。
【００２１】
さらに詳細に説明すると、樹脂製のパネル２は、パネル面２８に略方形状に貫通して設けられ、所定の間隔で互いに位置をずらして配された所謂「千鳥格子」に配置された複数の取付孔７、及びパネル２の外周縁部２９の一部が切欠かれて形成された切欠部８を有して形成されている。ここで、切欠部８は、図２に示されるように、略方形状に切欠かれるともに、その中央付近をさらに半円状に切欠いた断面形状を有している。また、外周縁部２９の一辺に切欠部８が等間隔に二つ形成される。なお、パネル２に使用される樹脂は、特に限定はされないが、例えば、ポリプロピレン樹脂などの汎用の樹脂を用いることが可能である。さらに、本実施形態のツールスタンド１のボード４には、引掛け若しくは吊下げ支持して収容する位置を示すために、当該ツールＴの実物大の写真がシール面に表示されたツール表示シール９が貼付されている。なお、該ツール表示シール９は、ボード４と当接する接着面に複数回の貼付が可能な易剥離性を有する接着剤が塗布されている。これにより、ツールＴの収納位置を変更しようとする場合、或いは収容するツールＴを変更する場合であっても、ツール表示シール９の変更も併せて容易に行うことができる。
【００２２】
さらに、ボード４は、縦方向に並列されたパネル２同士をパネル２の切欠部８に樹脂製のパネル止め３を嵌込んで連結され、また、横方向に並列されたパネル２同士を夫々樹脂製のパネル押さえ１７を用いて連結している。なお、パネル止め３及びパネル押さえ１７に使用される樹脂は、特に限定はされないが、例えば、ポリプロピレン樹脂などの汎用の樹脂を用いることが可能である。
【００２３】
ここで、パネル止め３は、図３（ａ）に示すように、パネル２の切欠部８の略方形状部分に略一致し、互いに離間する方向に突設された一対の切欠突部５５を有する被挟片６０と、切欠突部５５を互いに挟み込むようにして該被挟片６０によって連結された一対の平板状の挟片板部５８とを備えて形成されている。
【００２４】
また、切欠部８の略方形状部分の側縁部が被挟片６０の周面を囲むようにして固定されるため、連結されたパネル２に外周縁部に沿った方向へのずれが生じるような力が加えられても、切欠部８の側縁部と被挟片６０の周面と略同一形状に形成されているために当接し、加えられた力に抗する作用が働く。その結果、パネル２の横方向（例えば、図１における紙面右斜め方向）への移動が規制される。さらに、切欠突部５５にパネル２の外周縁部２９が嵌込まれると、一対の挟片板部５８がパネル２の表裏面（パネル面２８，２８ａ）に夫々当接し、パネル２を互いに挟み込むようするため、パネル面２８，２８ａ方向への移動が規制される。
【００２５】
一方、パネル押さえ１７は、横方向に並列された三つのパネル２を夫々樹脂製のパネル止め３を介して連結するものであり、基本的には前述したパネル止め３と略同一の機能を有している。ここで、パネル押さえ１７は、図３（ｂ）に示すように、パネル２の切欠部８の切欠形状に略一致し、互いに離間する方向に突設された一対の切欠突部５６を有する被挟片６１と、切欠突部５６を互いに挟み込むようにして被挟片６１によって連結された平板状の挟片板部５９及び被挟片６１の一端から延設され、レール（詳細は後述する：図示しない）の嵌込溝部に嵌合可能な嵌合部５７とを備えて構成されている。ここで、前述したパネル止め３及びパネル押さえ１７が本発明の連結具に相当する。なお、パネル押さえ１７によるパネル２の連結に係る機能は、パネル止め３と略同一であるため、ここでは説明を省略する。なお、被挟片６１は、略円柱状を呈して構成され、前述した切欠部８の略半円形状の箇所と少なくとも一部が嵌合するように形成されている。これにより、前述のパネル止め３と同一の機能を奏することができる。
【００２６】
さらに、枠体５は、長手方向に沿って嵌込溝部１９を有するアルミ合金製の四本の枠材（縦枠１８ａ，１８ｂ、横枠１５ａ，１５ｂ）を略四角形状に組み合わせて形成され、該嵌込溝部１９に前述のボード４に嵌込んで、パネル止め３等によって１２枚のパネル２を連結して固定する上部枠体１０と、該上部枠体１０を設置床面から所定の高さに支持する下部枠体１１とによって構成されている。ここで、上部枠体１０は、下部枠体１１の一部を構成する二本の支柱１４ａ，１４ｂに夫々摺動可能にその一部が嵌挿された縦枠１８ａ，１８ｂと、縦枠１８ａ，１８ｂの上端部間を連結する上横枠１５ａ、及び縦枠１８ａ，縦枠１８ｂの下端部近傍の間を連結し、ボード４を下方から支持する下横枠１５ｂと、上横枠１５ａと下横枠１５ｂとの間を連結し、パネル２のそれぞれのつなぎ目に沿って配された二本のレール（図示しない）とから構成されている。ここで、レールは、前述した縦枠１８ａ等と略同一の形状のものが利用され、嵌込溝部１９がパネル裏面２８ａに当接するように向けられて配されている。なお、図４（ｂ）に示すように、本実施形態の縦枠１８ａ等及びレールは、断面正方形状を呈し、各面にそれぞれ嵌込溝部１９が設けられている市販の材料を使用しているため、上述のように嵌込溝部１９をパネル面２８に向けるように注意を払う必要はない。
【００２７】
ここで、ボード４と枠体５のそれぞれの嵌込溝部１９との間には、一つのパネル２に対し、夫々二つのブッシュ５０が介設されている。このブッシュ５０は、図４（ａ）に示すように、ボード４の外周縁部及び嵌込溝部１９に介設可能な断面コの字形状を呈しており、パネル２のパネル厚に略一致し、ボード４の外周縁部が嵌合される凹部５２と、嵌込溝部１９の断面略コの字形状と略一致する外形部５３とを備える。ここで、ブッシュ５０は、本発明のパネル固定具に相当する。
【００２８】
したがって、図４（ｂ）に示すように、例えば、ブッシュ５０の外形部５３が下横枠１５ｂの嵌込溝部１９に嵌込まれ、ボード４の外周縁部の切欠部８が凹部５２に嵌込まれる。これにより、ボード４と嵌込溝部１９との間隙が減少する。このとき、ボード４に、例えば、下横枠１５ｂの長手方向に沿って移動しようとする力が加わると、ブッシュ５０の外形部５３がパネル２の切欠部８に嵌合されているため、係るパネル２（ボード４）の移動をある程度まで規制することができる。さらに、外形部５３がパネル２を互いに挟み込むように固定しているため、パネル２のパネル面方向への移動を規制する。
【００２９】
ここで、上部枠体１０に設けられたレールの嵌込溝部１９は、略台形状に切欠かれ、略台形状の底部の両端側から連続して互いに対向するように内側に向かって延設された開口縁部を有して形成されている。さらに、この嵌込溝部１９とパネル押さえ１７の嵌合部５７との断面略台形状は略一致し、嵌合部５７をレールの嵌込溝部１９に側方から差し入れられると、嵌合部５７が嵌込溝部１９に沿って摺動可能になる。そして、パネル押さえ１７をパネル２の切欠部８の位置に合わせ、二つのパネル２を該パネル押さえ１７を挟むようにして連結する。これによりパネル２同士が連結されるとともに、パネル面２８方向に加わる力に抗することができる。その結果、複数のパネル２からなるボード４がパネル２のつなぎ目の部分で撓んだり、ずれたりする虞がない。
【００３０】
また、フック６は、図５（ａ）に示すように、断面Ｌ字形状に形成され、ツールＴを引掛け若しくは吊下げ支持するツール支持部４１と、ツール支持部４１から延設され、パネル２の取付孔７に挿通される挿通部４２と、ツール支持部４１と挿通部４２との間に設けられ、挿通部４２の取付孔７への挿通を規制する規制部４３とを備えている。さらに、挿通部４２は、規制部４３からの突出方向に対して下り勾配をなすテーパ面２５が形成され、先端鉤状を呈する係止爪２４を有し、規制部４３から互いに離間された状態で突設された弾性変形可能な一対の突起部４４とからなる。さらに、突起部４４は、一対の係止爪２４が互いに近接させる近接位置に向かう方向（図５（ａ）における矢印Ａ方向）から、係止爪２４を離間させる離間位置に向かう方向（図５（ａ）における矢印Ａの逆方向）に弾性変形によって付勢されている。
【００３１】
そのため、フック６の突起部４４に形成された係止爪２４のテーパ面２５を取付孔７の開口縁部に当接させながら押圧挿通すると、テーパ面２５に懸かる略垂直方向への圧力によって、突起部４４の係止爪２４が離間位置から近接位置に変位する。そして、係止爪２４が取付孔７を通過すると、突起部４４は、弾性変形によって係止爪２４が近接位置から離間位置に変位し、係止爪２４が取付孔７の開口縁部に係合する（図５（ａ），図５（ｂ）参照）。このとき、パネル面２８に規制部４３が当接し、フック６の取付孔７へのそれ以上の挿通が規制される。また、フック６の縦横方向への揺動が規制される。これに対し、フック６がパネル２に係着された状態から、フック６を取り外す場合、取付孔７のパネル裏面２８ａ側から延出する突起部４４に対して、弾性力に抗する押圧操作によって互いの係止爪２４を近接位置（図５（ａ）における矢印Ａ方向）まで変形する。これにより、取付孔７の開口縁部と係止爪２４との係合が解除され、さらに挿通部４２を取付孔７からツール支持部４１側に押し出す（図５（ａ）における矢印Ｂ方向）ことで、フック６を取付孔７から取り外すことができる。
【００３２】
さらに、本実施形態のツールスタンド１は、その他の構成として設置床面に当接する四つのキャスター１２を略Ｈ字形状のそれぞれの先端に有する主支持体１３と、主支持体１３から立設され、管状部材からなる二本の支柱１４ａ，１４ｂとを備えて前述の下部枠体１１が形成されている。
【００３３】
さらに、詳細に説明すると、下部枠体１１は、管状の支柱１４ａ，１４ｂのそれぞれの上端側から上部枠体１０の縦枠１８ａ，１８ｂの一部が挿通されており、さらに該支柱１４ａ，１４ｂの途中には高さ調整手段３０を備えている。この高さ調整手段３０は、把手を有し、支柱１４ａ，１４ｂの側面に穿設されたねじ孔に夫々螺着された二つの調整ねじ３２ａ，３２ｂを備えている。そして、調整ねじ３２ａをねじ孔に螺入し、調整ねじ３２ａの先端部を縦枠１８ａの側面に当接させ、縦枠１８ａの支柱１４ａに対する挿通を規制することによって、支柱１４ａから延出している縦枠１８ａの長さを変更することができ、上部枠体１０の設置床面からの高さを自由に調整することが可能となる。また、調整ねじ３２ｂを用いて支柱１４ｂに対する縦枠１８ｂの高さ調整も同様の操作が行われる。
【００３４】
さらに、本実施形態のツールスタンド１は、上記構成に加え、縦枠１８ａ，１８ｂと上横枠１５ａとを連結する下横枠１５の連結箇所には、樹脂製のコーナーカバー２０が夫々嵌挿され、ツールスタンド１の美観を損なわないようにすることが行われている。そして、ボード４が嵌め込まれていない嵌込溝部１９（前述した縦枠１８ａ等の残りの三面に相当）には、樹脂製の溝カバー２１が嵌合され、嵌込溝部１９が外部から直接視認できないような処理が行われている。
【００３５】
加えて、本実施形態のツールスタンド１は、下横枠１５ｂの中央近傍にボルトやナット等の比較的小さな部品や小物類を収納若しくは格納するための収納箱２２がボード４と嵌込溝部１９との間の間隙に引掛けるようにして取付けられ、さらに上横枠１５ａには作業工程等を表示するための表示板２３が配設されている。
【００３６】
上記構成に係る本実施形態のツールスタンド１によって、下記に掲げるような優れた効果を奏することができる。すなわち、本実施形態のツールスタンド１は、枠体５がアルミ合金製の材料で形成され、パネル２、パネル止め３、及びパネル押さえ１７がいずれもポリプロピレン等の樹脂材料により形成されているため、ツールスタンド１全体で比較的軽量化が図られており、且つ主支持体１３にキャスター１２を有しているため、設置や移動が特に容易である。このため、工場内でのツールスタンド１の移動や設置作業が簡便となり、作業者の労力の負担を軽減することが可能となる。
【００３７】
また、本実施形態のツールスタンド１は、製造する製品によって保管及び管理するツールＴが変わる場合、設置場所の広さ等に応じて、パネル２の使用枚数を任意に変更し、一枚のボード４を構築することが可能となり、製品や作業に併せて適切な大きさのツールスタンド１を組合わせによって作ることができる。これにより、工場内での無駄なスペースを排除することができ、作業効率や生産効率を向上させることができる。
【００３８】
さらに、本実施形態のツールスタンド１によれば、ブッシュ５０を枠体５の嵌込溝部１９及びボード４の外周縁部とに介設させ、パネル３と枠体５との間隙を減少させ、パネル３と枠体５とのガタつきを軽減することが可能である。したがって、フック６に重量の重いツールＴを引掛け若しくは吊下げ支持しても、フック６が揺動することなく、フック６の揺動によって、ツールＴの落下等の虞がない。また、市販の枠体を使用可能なために製造のためのコストを低減することが可能となる。
【００３９】
また、本実施形態のツールスタンド１によれば、フック６は、樹脂製の突起部４４の弾性変形によって、パネル２の取付孔７に着脱可能に取付けることができる。このため、製造する製品によって保管及び管理する工具類が変わる際、フック６の取付け及び取外しが容易であり、フック６の配置を変更する際の利便性が優れている。特に、係るフック６は樹脂製で形成され、突起部４４を弾性変形させることにより、容易に取付け及び取外しが可能であり、従来の取付孔に引掛けるだけのフックのようにツールの取外し及び収容と同時にパネルから外れてしまったり、ネジなどを利用してパネルに強固に固定するものに比べ、使用に係る利便性を格段に向上させることができる。
【００４０】
さらに、本実施形態のツールスタンド１によれば、ツール表示シール９がパネル２のパネル面に貼着されているため、ツールＴをどこに引掛け若しくは吊下げ支持したら良いのか、素早く視認することが可能である。したがって、作業者がツールＴを引掛け若しくは吊下げ支持される位置を容易に視認し、所望のツールＴを素早く出し入れすることができるため、作業性を向上させることが可能となる。また、どのツールＴが用いられているのかが一目で理解できるため、作業を監督する監督者が、作業の進捗具合や作業手順のミスなどの把握が容易となる。その結果、生産性の向上につながる。加えて、ツールＴの使用時であってもツールスタンド１の美観を損ねることがない。
【００４１】
また、本実施形態のツールスタンド１によれば、縦枠１８ａ，１８ｂと支柱とが摺動可能に嵌挿され、高さ調整手段３０によって縦枠１８ａ，１８ｂと支柱１４ａ，１４ｂの摺動を係止する。したがって、作業者が手の届きやすい位置にツールＴを引掛け若しくは吊下げ支持し、ツールＴを出し入れが行い易く、作業性を向上させることが可能となる。
【００４２】
さらに、本実施形態のツールスタンド１によれば、作業工程等が表示された表示板２３を有するため、作業者が表示板２３に表示された内容を容易に視認でき、ツールＴを探す手間を軽減し、作業効率を向上させることが可能となる。
【００４３】
また、本実施形態のツールスタンド１によれば、収納箱２２を有しているため、作業者の手の届く範囲内に所定の部品を収納可能である。このため、作業者がボルトやナット等を素早く取り出すことが可能であり、さらに、紛失の虞を軽減することも可能となる。
【００４４】
以上、本発明について好適な実施形態を挙げて説明したが、本発明はこれらの実施形態に限定されるものではなく、以下に示すように、本発明の要旨を逸脱しない範囲において、種々の改良及び設計の変更が可能となる。
【００４５】
さらに、本実施形態では、パネル２の組み合わせは縦四枚及び横三枚のものを示したが、これに限定されることなく、縦横において任意の枚数であってもよい。ただし、作業者が手の届く範囲内にツールＴが引掛け若しくは吊下げ支持されるものが好適である。
【００４６】
あるいは、本実施形態では、切欠部８は、パネル２の外周縁部２９の一辺に二つ形成されるものを示したが、これに限定されることなく、少なくとも一つあればよい。ただし、並列されたパネル２同士の移動を規制するための強度を有するものでなくてはならない。
【００４７】
また、本実施形態では、枠体５はアルミ合金製のものを示したが、樹脂製のものであっても良い。ただし、枠体５はボード４の弾性変形を防ぐためにある程度の強度を有するものがよい。
【００４８】
さらに、本実施形態では、パネル止め３及びパネル押さえ１７の形状は、方形状を呈するものを示したが、円形形状等を呈するものであっても良い。ただし、パネル２を連結した際、美観を損なう虞のないものが好適である。
【００４９】
また、本実施形態では、外形部５３の角部は、面取りをされたものを示したが、面取りをされていないものであってもよい。ただし、外形部５３の角部が面取りされることによって、枠体５の嵌込溝部１９に嵌め込む際、容易に嵌め込むことが可能となる。
【００５０】
さらに、本実施形態では、フック６のツール支持部４１のパネル面から突出長さは所定のものを示したが、長さを変更したものであってもよい。ただし、ツールＴを引掛け若しくは吊下げ支持し、ツールＴが落下しないように保持されるものがよい。
【００５１】
また、本実施形態のツール表示シール９は、長方形状を呈し、その一部にツールＴが表示されたものを示したが、ツールＴの外形形状と略一致するようにシールの形状を切り抜いたものであってもよい。これにより、少ないスペースであってもシール同士が重なり合うことなく多くのツールＴをフック６に引掛け若しくは吊下げ支持することができるようになる。さらに、シールに余白部分がないため、ツールＴをフック６に引掛け若しくは吊下げ支持したときの美観を損なう虞がない。
【図面の簡単な説明】
【００５２】
【図１】本実施形態のツールスタンドの構成を示す斜視図である。
【図２】パネルの構成を示す説明図である。
【図３】（ａ）パネル止め、及び（ｂ）パネル押さえの構成を示す斜視図である。
【図４】（ａ）ブッシュの構成、及び（ｂ）ブッシュの使用例を示す説明図である。
【図５】フックのパネルへの取付けの一例を示す（ａ）上方から見た断面図、及び（ｂ）側方から見た断面図である。
【符号の説明】
【００５３】
１    ツールスタンド
２    パネル
３    パネル止め（連結具）
５    枠体
６    フック
７    取付孔
８    切欠部
９    ツール表示シール
１７  パネル押さえ（連結具）
１９  嵌込溝部
４１  ツール支持部
４２  挿通部
４３  規制部
４４  突起部（弾性付勢手段）
５０  ブッシュ（パネル固定具）
５２  凹部
５３  外形部
５５  切欠突部
【図１】
2007111842.tif 000003
【図２】
2007111842.tif 000004
【図３】
2007111842.tif 000005
【図４】
2007111842.tif 000006
【図５】
2007111842.tif 000007